(57)【要約】【課題】  小型化が可能であり、また、ハイパワー光の使用に耐えることができる光部品を提供する。【解決手段】  １本の光ファイバまたは複数本の光ファイバ７，１３が直列に接続されたものからなる接続用光ファイバ１５の両端７ａ，１３ａのそれぞれにコリメートレンズ３，１１が接続されている光部品であって、前記接続用光ファイバ１５の長さＬが２０ｍｍ以下であることを特徴とする光部品１Ａを用いる。【選択図】  図２
2006003786.tif 000002
【特許請求の範囲】
【請求項１】
１本の光ファイバまたは複数本の光ファイバが直列に接続されたものからなる接続用光ファイバの両端のそれぞれにコリメートレンズが接続されている光部品であって、
前記接続用光ファイバの長さが２０ｍｍ以下であることを特徴とする光部品。
【請求項２】
コリメートレンズの一つの端面に該端面からの長さが等しい裸光ファイバからなる２本のピグテイル用光ファイバが接続されており、
前記コリメートレンズの一方のピグテイル用光ファイバには他のコリメートレンズのピグテイル用光ファイバが接続されていて、これら２本のピグテイル用光ファイバにより前記接続用光ファイバが構成されており、
前記コリメートレンズの他方のピグテイル用光ファイバには他の光ファイバが接続されていて、前記他の光ファイバと前記コリメートレンズの他方のピグテイル用光ファイバとの接続部の位置が、前記コリメートレンズの一方のピグテイル用光ファイバと前記他のコリメートレンズのピグテイル用光ファイバとの接続部の位置と揃えられていることを特徴とする請求項１に記載の光部品。
【請求項３】
前記接続用光ファイバと前記コリメートレンズとは、融着により接続されていることを特徴とする請求項１または２に記載の光部品。
【請求項４】
接続用光ファイバの両端のそれぞれにコリメートレンズが接続されている光部品の製造方法であって、
コリメートレンズと該コリメートレンズに接続されたピグテイル用光ファイバとを有する単位光部品の前記ピグテイル用光ファイバを切断することにより、２個の単位光部品の前記ピグテイル用光ファイバの長さの合計が２０ｍｍ以下となるように短縮し、
前記ピグテイル用光ファイバ同士を接続することにより、これら２本のピグテイル用光ファイバからなる接続用光ファイバを介して、前記２個の単位光部品のコリメートレンズ同士を接続することを特徴とする光部品の製造方法。
【請求項５】
接続用光ファイバの両端のそれぞれにコリメートレンズが接続されている光部品の製造方法であって、
コリメートレンズと該コリメートレンズに接続されたピグテイル用光ファイバとを有する単位光部品の前記ピグテイル用光ファイバを切断することにより、前記ピグテイル用光ファイバの長さが２０ｍｍ以下となるように短縮し、
前記ピグテイル用光ファイバを他のコリメートレンズと接続することにより、前記ピグテイル用光ファイバからなる接続用光ファイバを介して、前記単位光部品のコリメートレンズと前記他のコリメートレンズとを接続することを特徴とする光部品の製造方法。
【請求項６】
接続用光ファイバの両端のそれぞれにコリメートレンズが接続されている光部品の製造方法であって、
コリメートレンズの一つの端面に２本のピグテイル用光ファイバが接続されている単位光部品の前記ピグテイル用光ファイバを切断することにより、２個の単位光部品の前記ピグテイル用光ファイバの長さの合計が２０ｍｍ以下となるように短縮し、
切断されたピグテイル用光ファイバに他の光ファイバを縦添えすることにより、単位光部品ごとに複数の光ファイバからなる光ファイバ束を構成し、
一方の単位光部品の１本のピグテイル用光ファイバと他方の単位光部品の１本のピグテイル用光ファイバとが接続され、残りのピグテイル用光ファイバにはそれぞれ前記他の光ファイバが接続されるように、前記光ファイバ束同士を向かい合わせて多芯接続することにより、互いに接続された前記２本のピグテイル用光ファイバからなる接続用光ファイバを介して、前記２個の単位光部品のコリメートレンズ同士を接続することを特徴とする光部品の製造方法。
【請求項７】
前記光ファイバ束同士の接続を、多芯融着接続によって行うことを特徴とする請求項６に記載の光部品の製造方法。
【発明の詳細な説明】
【技術分野】
【０００１】
本発明は、波長分割多重などに用いられる光合分波器等の光部品及びその製造方法に関する。
【背景技術】
【０００２】
近年、ＣＡＴＶネットワークにおいて、センター（局）と加入者との間に布設される伝送路として光ファイバを用い、１芯の光ファイバで放送と通信の両サービスを提供できるアクセス網の構築が検討されている。この種のアクセス網に用いられる１芯３波多重伝送は、３つの波長帯（１．３１μｍ帯、１．４９μｍ帯、１．５５μｍ帯）の波長分割多重（ＷＤＭ：Ｗａｖｅｌｅｎｇｔｈ  Ｄｉｖｉｓｉｏｎ  Ｍｕｌｔｉｐｌｅｘｉｎｇ）により、１本の光ファイバで放送（映像）と通信の情報をやりとりする技術である。ここで、１．３１μｍ帯は上り通信用（Ｕｐｓｔｒｅａｍ）、１．４９μｍ帯は下り通信用（Ｄｏｗｎｓｔｒｅａｍ）、１．５５μｍ帯は映像用（Ｖｉｄｅｏｓｔｒｅａｍ）として使用される。このため、通信サービス用波長帯（１．３１及び１．４９μｍ帯）と、放送サービス用波長帯（１．５５μｍ帯）とを分ける光合分波器が必要となる。
【０００３】
光合分波器としては、例えば、ファイバ型カプラ、誘電体多層膜フィルタを用いたフィルタ型光合分波器がある。光合分波器によって信号光を通信サービス用波長帯と放送サービス用波長帯とに分波するとき、一方の波長帯の信号光に他方の波長帯の信号光が混入するとノイズの発生の原因になるので、高いアイソレーションが必要とされている。
上述の光合分波器のうち、ファイバ型カプラは、所望のアイソレーションを確保できないため、フィルタ型光合分波器が用いられることが多い。フィルタ型光合分波器によれば、複数の波長帯が多重化された信号光を、フィルタを透過する波長帯（透過波長帯）と、フィルタを反射する波長帯（反射波長帯）とに分波することができる。しかしながら、反射波長帯については、容易に３０ｄＢ以上のアイソレーションを得ることができるが、透過波長帯についてはアイソレーションは通常１５ｄＢ程度であり、３０ｄＢ以上の好ましいアイソレーションを確保することが難しいという問題があった。
【０００４】
これに対して、図１２に示すように、２枚のフィルタを用いた光合分波器の提案がある（例えば、特許文献１参照）。
図１２に示すこの光合分波器３１は、先端面３２ａ，３３ａ同士が向かい合うように配置された２個のコリメートレンズ３２，３３と、これら第１及び第２のコリメートレンズ３２，３３の先端面３２ａ，３３ａ間に配置された長波長透過フィルタ（ＬＷＰＦ）３４と、端面３５ａ，３６ａが第１のコリメートレンズ３２の後端面３２ｂに対向するように配置された第１及び第２の光ファイバ３５，３６と、端面３７ａが第２のコリメートレンズ３３の後端面３３ｂに対向するように配置された第３の光ファイバ３７と、第１のコリメートレンズ３２の後端面３２ｂに貼着された短波長透過フィルタ（ＳＷＰＦ）３８とを具備する。
コリメートレンズ３２，３３は、約４分の１ピッチの長さを有する屈折率分布型レンズである。第２の光ファイバ３６は、第１の光ファイバ３５から出射されて長波長透過フィルタ３４に反射された光が第２の光ファイバ３６に入射するような位置に配置されている。また、第３の光ファイバ３７は、第１の光ファイバ３５から出射されて長波長透過フィルタ３４を通過した光が第３の光ファイバ３７に入射するような位置に配置されている。つまり、この光合分波器３１において、第１の光ファイバ３５が共通ポート（Ｃポート）となり、第２の光ファイバ３６が反射ポート（Ｒポート）となり、第３の光ファイバ３７が透過ポート（Ｔポート）となっている。
短波長透過フィルタ３８は、大きさがコリメートレンズ３２の後端面３２ｂの面積の約半分であり、Ｒポートとなる第２の光ファイバ３６の端面３６ａと向かい合う位置に配置されており、長波長透過フィルタ３４による反射波長帯の光を透過させ、透過波長帯の光を阻止するカットフィルタとしての機能を有する。このように構成された光合分波器３１によれば、反射波長帯の信号光にも所望のアイソレーションを確保することができる。
反射波長帯のアイソレーションを確保する構成としては、この他、カットフィルタの代わりに、アイソレータコアが第１のコリメートレンズの後端面に貼着された構成もある。また、カットフィルタを第１のコリメートレンズの後端面に接着する代わりに、カットフィルタを内蔵した光コネクタをＲポート用光ファイバのピグテイル端に接続する構成もある。
さらには、長波長透過フィルタを有するフィルタ型カプラと、短波長透過フィルタを有するフィルタ型カプラとを２段に接続して、長波長透過フィルタによる反射波長帯の光が短波長透過フィルタを透過するようにしても、反射波長帯のアイソレーションを確保することができる。
【特許文献１】米国特許第５５８８０７８号明細書
【発明の開示】
【発明が解決しようとする課題】
【０００５】
図１２に示すように、第１のコリメートレンズ３２の後端面３２ｂにカットフィルタ３８が貼着された構成の光合分波器３１の場合、第１のコリメートレンズ３２とカットフィルタ３８との貼着には接着剤を用いることとなる。しかしながら、長波長透過フィルタ３４からの反射光は、第１のコリメートレンズ３２の後端面３２ｂ付近では集光されているので、カットフィルタ３８に集光したハイパワー光が入射した場合には接着剤が焦げてしまって伝送損失が増大したり、フィルタが剥がれてしまったりするおそれがあり、光伝送の安定性が損なわれる原因となってしまう。また、大きさにしてレンズ後端面の面積の約半分のフィルタをレンズ後端面に正確に貼らなくてはならないため、レンズ径が１ｍｍ以下のコリメートレンズを用いると、作業工程が細かく複雑な作業になってしまうので、歩留まりが低下したり、工数が多くなってしまったりするおそれがある。このため、使用できるレンズの寸法に制限ができることになる。
【０００６】
フィルタを貼着する代わりに、アイソレータコアを貼着した場合にも、やはり貼着には接着剤を用いることになるので、フィルタの場合と同様の問題が生じることとなる。
フィルタを貼着する代わりに、フィルタを内蔵した光コネクタを接続した場合、光コネクタを用いない仕様には対応できない。
フィルタ型カプラを２段に接続した構成の場合、両カプラを接続する光ファイバの余長が長くなり、この余長を収納するためにモジュールを構成する必要がある。すると、通常のフィルタ型カプラに比べて数倍以上の大きさにまでなってしまい、モジュールの高集積化において大きな障壁が残る。
【０００７】
すなわち、従来の技術においては、小型であるがハイパワー光の使用には耐えられない構造か、ハイパワー光の使用には耐えられるがモジュール並に大型になる構造かのどちらかを選択するよりほか無く、小型化とハイパワー光の使用とを両立させた構成を実現することができなかった。
【０００８】
本発明は、上記事情に鑑みてなされたものであり、小型化が可能であり、また、ハイパワー光の使用に耐えることができる光部品を提供することを課題とする。
【課題を解決するための手段】
【０００９】
前記課題を解決するため、本発明は、１本の光ファイバまたは複数本の光ファイバが直列に接続されたものからなる接続用光ファイバの両端のそれぞれにコリメートレンズが接続されている光部品であって、前記接続用光ファイバの長さが２０ｍｍ以下であることを特徴とする光部品を提供する。
この光部品においては、コリメートレンズの一つの端面に該端面からの長さが等しい裸光ファイバからなる２本のピグテイル用光ファイバが接続されており、前記コリメートレンズの一方のピグテイル用光ファイバには他のコリメートレンズのピグテイル用光ファイバが接続されていて、これら２本のピグテイル用光ファイバにより前記接続用光ファイバが構成されており、前記コリメートレンズの他方のピグテイル用光ファイバには他の光ファイバが接続されていて、前記他の光ファイバと前記コリメートレンズの他方のピグテイル用光ファイバとの接続部の位置が、前記コリメートレンズの一方のピグテイル用光ファイバと前記他のコリメートレンズのピグテイル用光ファイバとの接続部の位置と揃えられている構成を採用することも可能である。
前記接続用光ファイバと前記コリメートレンズとは、融着により接続されていることが好ましい。
【００１０】
また、本発明は、接続用光ファイバの両端のそれぞれにコリメートレンズが接続されている光部品の製造方法であって、コリメートレンズと該コリメートレンズに接続されたピグテイル用光ファイバとを有する単位光部品の前記ピグテイル用光ファイバを切断することにより、２個の単位光部品の前記ピグテイル用光ファイバの長さの合計が２０ｍｍ以下となるように短縮し、前記ピグテイル用光ファイバ同士を接続することにより、これら２本のピグテイル用光ファイバからなる接続用光ファイバを介して、前記２個の単位光部品のコリメートレンズ同士を接続することを特徴とする光部品の製造方法を提供する。
【００１１】
また、本発明は、接続用光ファイバの両端のそれぞれにコリメートレンズが接続されている光部品の製造方法であって、コリメートレンズと該コリメートレンズに接続されたピグテイル用光ファイバとを有する単位光部品の前記ピグテイル用光ファイバを切断することにより、前記ピグテイル用光ファイバの長さが２０ｍｍ以下となるように短縮し、前記ピグテイル用光ファイバを他のコリメートレンズと接続することにより、前記ピグテイル用光ファイバからなる接続用光ファイバを介して、前記単位光部品のコリメートレンズと前記他のコリメートレンズとを接続することを特徴とする光部品の製造方法を提供する。
【００１２】
また、本発明は、接続用光ファイバの両端のそれぞれにコリメートレンズが接続されている光部品の製造方法であって、コリメートレンズの一つの端面に２本のピグテイル用光ファイバが接続されている単位光部品の前記ピグテイル用光ファイバを切断することにより、２個の単位光部品の前記ピグテイル用光ファイバの長さの合計が２０ｍｍ以下となるように短縮し、切断されたピグテイル用光ファイバに他の光ファイバを縦添えすることにより、単位光部品ごとに複数の光ファイバからなる光ファイバ束を構成し、一方の単位光部品の１本のピグテイル用光ファイバと他方の単位光部品の１本のピグテイル用光ファイバとが接続され、残りのピグテイル用光ファイバにはそれぞれ前記他の光ファイバが接続されるように、前記光ファイバ束同士を向かい合わせて多芯接続することにより、互いに接続された前記２本のピグテイル用光ファイバからなる接続用光ファイバを介して、前記２個の単位光部品のコリメートレンズ同士を接続することを特徴とする光部品の製造方法を提供する。
この光部品の製造方法において、前記光ファイバ束同士の接続は、多芯融着接続によって行うことが好ましい。
【発明の効果】
【００１３】
本発明によれば、単位光部品のコリメートレンズを接続する接続用光ファイバの長さが短いので、光部品を筐体に収容してモジュールを構成するときに、筐体は光ファイバの許容曲げ径を超える大きさを必要としないので、高集積化が可能なモジュールを得ることができる。また、モジュールの製造時に接続用光ファイバの余長を収納する作業が必要なく、大幅な工数削減が可能となる。
接続用光ファイバとコリメートレンズとが融着により接続されている場合には、接続用光ファイバとコリメートレンズとの間の界面に接着剤や空隙が介在しないので、ハイパワーの光の使用に耐える可能な耐ハイパワー特性を得ることができる。
【発明を実施するための最良の形態】
【００１４】
以下、最良の形態に基づき、図面を参照して本発明を説明する。
図１は、本発明の光部品の製造に用いられる単位光部品の一例を示す概略構成図である。図１に示す単位光部品２は、先端面３ａ，４ａ同士が向かい合うように配置された第１及び第２のコリメートレンズ３，４と、これら第１及び第２のコリメートレンズ３，４の先端面３ａ，４ａの間に配置された誘電体多層膜フィルタ５と、端面６ａ，７ａが第１のコリメートレンズ３の後端面３ｂ（先端面３ａに対向する端面）に対向するように配置された第１及び第２の光ファイバ６，７と、端面８ａが第２のコリメートレンズ４の後端面４ｂに対向するように配置された第３の光ファイバ８とを具備する。
【００１５】
コリメートレンズ３，４としては、円柱状のロッドレンズ（ＧＲＩＮレンズ）が用いられる。この種のロッドレンズは、その屈折率が、レンズの光軸に近いほど大きく、光軸から離れて外周に近づくほど小さくなるようにラジアル方向に屈折率分布を有する屈折率分布型レンズである。
この種のロッドレンズの中を伝搬される光線は、正弦波状の光路をとって進み、この正弦波状の光路の周期を１ピッチという。コリメートレンズ３，４の長さは、好ましくは約０．２５ピッチ、約０．７５ピッチなど、（２ｎ−１）／４ピッチで表される長さ（ただしｎを自然数とする）が好ましい。
コリメートレンズ３，４を構成する材料としては、多成分系ガラスや石英系ガラスなどを用いることができる。コリメートレンズ３，４を光ファイバ６，７，８と融着する場合には、石英系ガラスからなるコリメートレンズ３，４が用いられる。
石英系ガラスからなるコリメートレンズは、軟化点、熱膨張係数、及び屈折率について光ファイバとの差が極めて小さい。従って、融着により容易かつ強固に接続でき、かつコリメートレンズと光ファイバとの接続部における光の反射が効果的に抑制される。しかも、光ファイバとコリメートレンズとを直接融着接続することにより、高強度の光に対する耐性が著しく高いものとなる。石英系ガラスからなるロッドレンズの屈折率分布は、石英系ガラス中に添加されるゲルマニウム等のドーパントの濃度分布により付与することができる。
【００１６】
誘電体多層膜フィルタ５は、一般に、ＳｉＯ２、ＴｉＯ２、ＺｒＯ２、Ｔａ２Ｏ５、Ｎｂ２Ｏ５等の誘電体から、高屈折率成分と低屈折率成分と（あるいは３種類以上の誘電体）を適宜選択して用い、所定の膜厚、所定の順序にて数〜数百層積層したものである。誘電体多層膜フィルタは誘電体の種類や膜厚、順序などに応じて、種々の光学的特性を実現することができる。例えば、所定の波長帯の光を反射し、他の所定の波長帯の光を透過する性質を有するフィルタ素子は、光合分波素子として利用することができる。誘電体多層膜フィルタとして光合分波素子を用いた場合には、光部品は光合分波器として使用することができる。
誘電体多層膜フィルタ５としては、長波長透過フィルタ（ＬＷＰＦ：Ｌｏｎｇ  Ｗａｖｅｌｅｎｇｔｈ  Ｐａｓｓ  Ｆｉｌｔｅｒ）、短波長透過フィルタ（ＳＷＰＦ：Ｓｈｏｒｔ  Ｗａｖｅｌｅｎｇｔｈ  Ｐａｓｓ  Ｆｉｌｔｅｒ）、バンドパスフィルタなどを用いることができる。
ＬＷＰＦは、所定の波長より長波長側の光を透過させ、短波長側の光を反射する特性をもつ。ＳＷＰＦは、所定の波長より短波長側の光を透過させ、長波長側の光を反射する特性をもつ。バンドパスフィルタは、所定の波長帯の光を透過させ、それより長波長および短波長の光を反射する特性をもつ。
本形態例の単位光部品２においては、誘電体多層膜フィルタ５として、長波長（１．５５μｍ帯）の光を透過し、短波長（１．３１及び１．４９μｍ帯）の光を反射する長波長透過フィルタ（ＬＷＰＦ）が用いられている。
【００１７】
誘電体多層膜フィルタ５は、コリメートレンズ３，４の先端面３ａ，４ａを内包するような大きさの端面５ａ、５ｂを有する。なお、誘電体多層膜フィルタ５の端面５ａ，５ｂの形状は、特に限定されるものではなく、円形、四角形などが例示される。
誘電体多層膜フィルタ５の一方の端面５ａは、第１のコリメートレンズ３の先端面３ａに接しており、誘電体多層膜フィルタ５の他方の端面５ｂは、第２のコリメートレンズ４の先端面４ａに接している。また、誘電体多層膜フィルタ５の側縁部５ｓは、コリメートレンズ３、４の側方に突出している。
第１のコリメートレンズ３は、第１のコリメートレンズ３の先端面３ａと誘電体多層膜フィルタ５の一方の端面５ａとの間に形成される隅部に塗布された接着剤Ａｄにより接着されている。同様に、第２のコリメートレンズ４は、第２のコリメートレンズ４の先端面４ａと誘電体多層膜フィルタ５の他方の端面５ｂとの間に形成される隅部に設けられた接着部Ａｄにより接着されている。
接着部Ａｄに用いられる接着剤としては、ガラス等からなる光学部品の接着に用いられる適当な接着剤を用いることができるが、例えばエポキシ系接着剤やアクリル系接着剤が挙げられる。
【００１８】
光ファイバ６，７，８は、特に限定されるものではないが、例えば、外径０．２５〜０．９ｍｍの光ファイバ素線や光ファイバ心線を用いることができる。これらの光ファイバ６，７，８の先端部には、該光ファイバの樹脂被覆が剥離されることにより裸光ファイバ６ｂ，７ｂ，８ｂが露出されている。
第２の光ファイバ７の端面７ａは、第１の光ファイバ６から出射されて長波長透過フィルタ５に反射された光が第２の光ファイバ７に入射するような位置に配置されている。また、第３の光ファイバ８の端面８ａは、第１の光ファイバ６から出射されて長波長透過フィルタ５を通過した光が第３の光ファイバ８に入射するような位置に配置されている。
つまり、この単位光部品は、第１の光ファイバ６が共通ポート（Ｃポート）となり、第２の光ファイバ７が反射ポート（Ｒポート）となり、第３の光ファイバ８が透過ポート（Ｔポート）となるような光合分波器として機能するものである。
【００１９】
光ファイバ６，７，８とコリメートレンズ３，４との接続は、アーク放電やＣＯ２レーザで加熱して直接融着する方法、光ファイバが挿入されたキャピラリ（図示略）をコリメートレンズの端面に固着する方法などがある。キャピラリを用いた接続の場合、光ファイバ６，７，８の端面６ａ，７ａ，８ａとコリメートレンズ３，４の後端面３ｂ，４ｂとの間に接着剤を設けて接着する方法、光ファイバ６，７，８の端面６ａ，７ａ，８ａとコリメートレンズ３，４の後端面３ｂ，４ｂとの間の距離を離して隙間を設ける方法がある。
なかでも、光ファイバの端面をコリメートレンズの後端面に直接融着することが好ましい。これにより、光ファイバの端面をコリメートレンズの後端面との間に接着剤を介在させることなく両者を接続できるので、信号光としてハイパワー光が用いられる場合でも、伝送損失の増大などが生じるおそれがなく、光部品を安定的に利用することができる。
また、光ファイバの端面とコリメートレンズの後端面との間に隙間がないので、コリメートレンズの後端面に反射防止膜（ＡＲコート）を設ける必要がなく、製造コストが低減される。
【００２０】
次に、本発明の光部品について説明する。
図２は、本発明の光部品の第１形態例を示す概略構成図である。
図２に示す光部品１Ａは、先端面３ａ，４ａ同士が向かい合うように配置された第１及び第２のコリメートレンズ３，４と、これら第１及び第２のコリメートレンズ３，４の先端面３ａ，４ａの間に配置された第１の長波長透過フィルタ５と、端面６ａ，７ａが第１のコリメートレンズ３の後端面３ｂ（先端面３ａに対向する端面）に接続された第１及び第２の光ファイバ６，７と、端面８ａが第２のコリメートレンズ４の後端面４ｂに接続された第３の光ファイバ８と、先端面１１ａに第２の長波長透過フィルタ１２が配置された第３のコリメートレンズ１１と、端面１３ａ，１４ａが第３のコリメートレンズ１１の後端面１１ｂに接続された第４及び第５の光ファイバ１３，１４とを具備する。
【００２１】
ここで、コリメートレンズ３，４，１１は、上述のようなロッドレンズである。
第１，第３，第４の光ファイバ６，８，１３の先端部には、各光ファイバの樹脂被覆が剥離されることにより裸光ファイバ６ｂ，８ｂ，１３ｂが露出されている。
第２の光ファイバ７と第５の光ファイバ１４は、それぞれ短尺の裸光ファイバ７ｂ，１４ｂである。これら第２及び第５の光ファイバ７，１４は、接続点９において融着接続されており、両光ファイバ７，１５によって、第１のコリメートレンズ３と第３のコリメートレンズ１１とを接続する接続用光ファイバ１５が構成されている。
第１及び第２のコリメートレンズ３，４と、第１の長波長透過フィルタ５と、第１〜第３の光ファイバ６，７，８とにより、第１の単位光部品２が構成されている。第１〜第３の光ファイバ６，７，８は、第１の単位光部品２のピグテイル用光ファイバである。
また、第３のコリメートレンズ１１と、第２の長波長透過フィルタ１２と、第４及び第５の光ファイバ１３，１４とにより、第２の単位光部品１０が構成されている。第４及び第５の光ファイバ１３，１４は、第２の単位光部品１０のピグテイル用光ファイバである。
【００２２】
第２の光ファイバ７の端面７ａは、第１の光ファイバ６から出射されて長波長透過フィルタ５に反射された光が第２の光ファイバ７に入射するような位置に配置されている。また、第３の光ファイバ８の端面８ａは、第１の光ファイバ６から出射されて長波長透過フィルタ５を通過した光が第３の光ファイバ８に入射するような位置に配置されている。
第４及び第５の光ファイバ１３，１４の端面１３ａ，１４ａは、第５の光ファイバ１４から出射されて長波長透過フィルタ１２に反射された光が第４の光ファイバ１３に入射するような位置に配置されている。
つまり、この光部品１Ａは、第１の光ファイバ６が共通ポート（Ｃポート）となり、第４の光ファイバ１３が反射ポート（Ｒポート）となり、第３の光ファイバ８が透過ポート（Ｔポート）となるような光合分波器として機能するものである。しかも、第１の長波長透過フィルタ５に反射された短波長の反射波長帯の光は、第２の長波長透過フィルタ１２に反射されてから反射ポート１３に出力されるので、反射波長帯の光にも所望のアイソレーションを確保することができる。
【００２３】
さらに本形態例の光部品１Ａにおいては、前記接続用光ファイバ１５の長さＬは、２０ｍｍ以下である。これにより、２個の単位光部品２，１０のコリメートレンズ３，１１を接続する接続用光ファイバ１５の長さが短いので、光部品１Ａ全体の長さを５０ｍｍ程度またはそれ以下に抑えることができる。
光部品を筐体に収容してモジュールを構成するときに、筐体は光ファイバの許容曲げ径を超える大きさを必要としないので、高集積化が可能なモジュールを得ることができる。また、モジュールの製造時に接続用光ファイバの余長を収納する作業が必要なく、大幅な工数削減が可能となる。
また、後述の第２形態例の光部品１Ｂと比較すると、コリメータレンズの個数が１個少なくて済む。また、反射ポートとなる光ファイバ１３が、共通ポートとなる光ファイバ６の逆側（換言すれば、透過ポートとなる光ファイバ８と同じ側）に延出されるので、光部品を小型化することができる。
【００２４】
ここで、本形態例の光部品１Ａを製造する方法の一例について説明する。
この光部品１Ａは、２個の単位光部品２，１０を２段に接続することによって製造することができる。本製造方法において、単位光部品２，１０を接続する前の状態としては、接続用光ファイバ１５となる第２及び第５の光ファイバ７，１４は、他のピグテイル用光ファイバ６，８，１３と同様に樹脂被覆付きの光ファイバであってよい（別の形態例の図面であるが、図８中の単位光部品２，１０も参照）。
まず、第２及び第５の光ファイバ７，１４を切断して、２個の単位光部品２，１０の前記光ファイバ７，１４の長さの合計が２０ｍｍ以下となるように短縮する。
次いで、前記光ファイバ７，１４同士を融着接続する。光ファイバ７，１４同士の融着接続は、ＣＯ２レーザや放電などの加熱手段によって行うことができる。融着接続の際には、図３に示すように、加熱手段Ｈの経路（レーザ光路または）と干渉しないように、レンズ後端面３ｂ，１１ｂに対して融着接続すべき光ファイバ７，１３と同じ側に接続されたピグテイル用光ファイバ６，１３をたわめて、加熱手段Ｈの経路から回避させる必要がある。これにより、これら光ファイバ７，１４によって接続用光ファイバ１５が形成され、この接続用光ファイバ１５を介して、２個の単位光部品２，１０のコリメートレンズ３，１１同士が接続される。
以上のような製造方法によれば、２個の単位光部品のピグテイル用光ファイバを融着接続するだけで両単位光部品を２段に接続することができる。各単位光部品のコリメートレンズとピグテイル用光ファイバとの接続は、両単位光部品の接続に先立って行うことができるので、ピグテイル用光ファイバの位置決め調心を容易に行うことができる。
【００２５】
次に、本発明の光部品の第２形態例について説明する。
図４は、本発明の光部品の第２形態例を示す概略構成図である。図４において、図１〜図３で用いた符号と同一の符号は、これらの図面に示す構成と同一または同様のものであることを示し、重複する説明を省略する。
図４に示す光部品１Ｂは、先端面３ａ，４ａ同士が向かい合うように配置された第１及び第２のコリメートレンズ３，４と、これら第１及び第２のコリメートレンズ３，４の先端面３ａ，４ａの間に配置された長波長透過フィルタ５と、端面６ａ，７ａが第１のコリメートレンズ３の後端面３ｂに接続された第１及び第２の光ファイバ６，７と、端面８ａが第２のコリメートレンズ４の後端面４ｂに接続された第３の光ファイバ８と、先端面１１ａ，１６ａ同士が向かい合うように配置された第３及び第４のコリメートレンズ１１，１６と、これら第３及び第４のコリメートレンズ１１，１６の先端面１１ａ，１６ａの間に配置された短波長透過フィルタ１７と、端面１３ａが第４のコリメートレンズ１６の後端面１６ｂに接続された第４の光ファイバ１３と、端面１４ａが第３のコリメートレンズ１１の後端面１１ｂに接続された第５の光ファイバ１４とを具備する。
【００２６】
第１及び第２のコリメートレンズ３，４と、長波長透過フィルタ５と、第１〜第３の光ファイバ６，７，８とにより、第１の単位光部品２が構成されている。第１の単位光部品２の構成は、図２に示す第１形態例の光部品１Ａと同様である。
また、第３及び第４のコリメートレンズ１１，１６と、短波長透過フィルタ１７と、第４及び第５の光ファイバ１３，１４とにより、第２の単位光部品１０が構成されている。第４及び第５の光ファイバ１３，１４の端面１３ａ，１４ａは、第５の光ファイバ１４から出射されて短波長透過フィルタ１７を透過した光が第４の光ファイバ１３に入射するような位置に配置されている。
短波長透過フィルタ１７は、長波長透過フィルタ５とは逆に、長波長（１．５５μｍ帯）の光を反射し、短波長（１．３１及び１．４９μｍ帯）の光を透過するものが用いられている。
つまり、この光部品１Ｂは、第１の光ファイバ６が共通ポート（Ｃポート）となり、第４の光ファイバ１３が反射ポート（Ｒポート）となり、第３の光ファイバ８が透過ポート（Ｔポート）となるような光合分波器として機能するものである。しかも、長波長透過フィルタ５に反射された短波長の反射波長帯の光は、短波長透過フィルタ１７を透過してから反射ポート１３に出力されるので、反射波長帯の光にも所望のアイソレーションを確保することができる。
【００２７】
さらに、本形態例の光部品１Ｂにおいては、第２及び第５の光ファイバ７，１４からなる接続用光ファイバ１５の長さＬは、２０ｍｍ以下である。
本形態例の光部品１Ｂは、２個の単位光部品２，１０を２段に接続することによって製造することができる。まず、第２及び第５の光ファイバ７，１４を切断して、２個の単位光部品２，１０の前記光ファイバ７，１４の長さの合計が２０ｍｍ以下となるように短縮し、次いで、前記光ファイバ７，１４同士を融着接続する。これにより、これら光ファイバ７，１４によって接続用光ファイバ１５が形成され、この接続用光ファイバ１５を介して、２個の単位光部品２，１０のコリメートレンズ３，１１同士が接続される。
【００２８】
以上のような光部品１Ｂおよびその製造方法によれば、上記第１形態例の光部品１Ａと同様の作用及び効果が得られる。さらに、本形態例の光部品１Ｂでは、コリメートレンズ１６の個数は１個増えるが、融着接続の際に、加熱手段Ｈの経路（図３参照）と干渉しうる光ファイバが、第１の光ファイバ６の１本のみであるので、融着時に光ファイバ６を加熱手段Ｈの経路から回避させやすく、光ファイバの取り回しが容易になる。従って、作業性が向上し、歩留まりを改善することが可能となる。
【００２９】
次に、本発明の光部品の第３形態例について説明する。
図５は、本発明の光部品の第３形態例を示す概略構成図である。図５において、図１〜図４で用いた符号と同一の符号は、これらの図面に示す構成と同一または同様のものであることを示し、重複する説明を省略する。
図５に示す光部品１Ｃは、先端面３ａ，４ａ同士が向かい合うように配置された第１及び第２のコリメートレンズ３，４と、これら第１及び第２のコリメートレンズ３，４の先端面３ａ，４ａの間に配置された第１の長波長透過フィルタ５と、端面６ａ，７ａが第１のコリメートレンズ３の後端面３ｂに接続された第１及び第２の光ファイバ６，７と、端面８ａが第２のコリメートレンズ４の後端面４ｂに接続された第３の光ファイバ８と、先端面１１ａに第２の長波長透過フィルタ１２が配置された第３のコリメートレンズ１１と、端面１３ａが第３のコリメートレンズ１１の後端面１１ｂに接続された第４の光ファイバ１３とを具備する。
【００３０】
第１，第３，第４の光ファイバ６，８，１３の先端部には、各光ファイバの樹脂被覆が剥離されることにより裸光ファイバ６ｂ，８ｂ，１３ｂが露出されている。
第２の光ファイバ７は、裸光ファイバ７ｂである。第２の光ファイバ７の一方の端面７ａは、第１のコリメートレンズ３の後端面３ｂに接続されており、第２の光ファイバ７の他方の端面７ｃは、第３のコリメートレンズ１１の後端面１１ｂに接続されている。
さらに、本形態例の光部品１Ｃにおいて、第２の光ファイバ７からなる接続用光ファイバ１５の長さＬは２０ｍｍ以下である。
つまり、この光部品１Ｃは、コリメートレンズ３，１１を接続する接続用光ファイバ１５が１本の光ファイバ７ｂからなること以外は、図２に示す第１形態例の光部品１Ａと同様に構成されている。
【００３１】
本形態例の光部品１Ｃを製造するためには、第２の光ファイバ７を第１及び第３のコリメートレンズ３，１１に接続する必要がある。この第２の光ファイバ７とコリメートレンズ３，１１との接続に際しては、第２の光ファイバ７を第１のコリメートレンズ３に接続した後に第３のコリメートレンズ１１に接続する順序でもよいし、第２の光ファイバ７を第３のコリメートレンズ１１に接続した後に第１のコリメートレンズ３に接続する順序でもよい。
また、第２の光ファイバ７は最初から短尺である必要はなく、一方のコリメートレンズに接続するときには、長尺の光ファイバを用いて接続してもよい。第２の光ファイバ７がコリメートレンズ３，１１のいずれかと接続されている状態では、第２の光ファイバ７は、そのコリメートレンズのピグテイル用光ファイバとなる。そして、このピグテイル用光ファイバを切断して２０ｍｍ以下の長さとなるように短縮してから、他方のコリメートレンズと接続することができる。この順序で接続を行えば、第２の光ファイバ７は、第１段階の接続時には長尺の光ファイバであり、第２段階の接続時には短尺ではあっても一方のコリメートレンズと接続済みであるので、いずれの段階においても、短尺の光ファイバを単体で取り扱うことは無く、作業性が向上され、コリメートレンズに対する位置決め、調心も容易に行うことができる。
【００３２】
本形態例の光部品１Ｃを製造するための具体的な組立手順の一例を挙げる。
まず、第１及び第２のコリメートレンズ３，４と、第１の長波長透過フィルタ５と、第１〜第３の光ファイバ６，７，８とにより構成された第１の単位光部品２を用意する。そして、第１の単位光部品２のピグテイル用光ファイバの一つである第２の光ファイバ７を切断して、２０ｍｍ以下の長さとなるように短縮する。そして、第２の光ファイバ７の他方の端面７ｃと第４の光ファイバ１３の端面１３ａの位置を揃えて、第３のコリメートレンズ１１の後端面１１ｂに一括で融着接続する。
第２の長波長透過フィルタ１２を第３のコリメートレンズ１１の先端面１１ａに配設する工程は、レンズ後端面１１ｂに第２及び第４の光ファイバ７，１３を接続する工程の前でも後でも構わない。
このような手順によれば、第３のコリメートレンズ１１と、第２の長波長透過フィルタ１２と、第４の光ファイバ１３を有する第２の単位光部品１０を、第１の単位光部品２のピグテイル用光ファイバ７の先端に組み立てることができる。
また、第３のコリメートレンズ１１に接続される２本の光ファイバ７，１３を一括して接続することにより、第２の単位光部品１０における両光ファイバ７，１３の調心を融着接続のときに併せて行うことができ、工数を削減することができる。
【００３３】
次に、本発明の光部品の第４形態例について説明する。
図６は、本発明の光部品の第４形態例を示す概略構成図である。図６において、図１〜図５で用いた符号と同一の符号は、これらの図面に示す構成と同一または同様のものであることを示し、重複する説明を省略する。
図６に示す光部品１Ｄは、先端面３ａ，４ａ同士が向かい合うように配置された第１及び第２のコリメートレンズ３，４と、これら第１及び第２のコリメートレンズ３，４の先端面３ａ，４ａの間に配置された長波長透過フィルタ５と、端面６ａ，７ａが第１のコリメートレンズ３の後端面３ｂに接続された第１及び第２の光ファイバ６，７と、端面８ａが第２のコリメートレンズ４の後端面４ｂに接続された第３の光ファイバ８と、先端面１１ａ，１６ａ同士が向かい合うように配置された第３及び第４のコリメートレンズ１１，１６と、これら第３及び第４のコリメートレンズ１１，１６の先端面１１ａ，１６ａの間に配置された短波長透過フィルタ１７と、端面１３ａが第４のコリメートレンズ１６の後端面１６ｂに接続された第４の光ファイバ１３とを具備する。
【００３４】
第１，第３，第４の光ファイバ６，８，１３の先端部には、各光ファイバの樹脂被覆が剥離されることにより裸光ファイバ６ｂ，８ｂ，１３ｂが露出されている。
第２の光ファイバ７は、裸光ファイバ７ｂである。第２の光ファイバ７の一方の端面７ａは、第１のコリメートレンズ３の後端面３ｂに接続されており、第２の光ファイバ７の他方の端面７ｃは、第３のコリメートレンズ１１の後端面１１ｂに接続されている。
さらに本形態例の光部品１Ｄにおいて、第２の光ファイバ７からなる接続用光ファイバ１５の長さＬは、２０ｍｍ以下である。
つまり、この光部品１Ｄは、コリメートレンズ３，１１を接続する接続用光ファイバ１５が１本の光ファイバ７ｂからなること以外は、図４に示す第２形態例の光部品１Ｂと同様に構成されている。
【００３５】
本形態例の光部品１Ｄを製造するためには、第２の光ファイバ７を第１及び第３のコリメートレンズ３，１１に接続する必要がある。この接続については、上述の第３形態例の光部品１Ｃと同様の手法により行うことができる。
【００３６】
本形態例の光部品１Ｄを製造するための具体的な組立手順の一例を挙げる。
まず、第３及び第４のコリメートレンズ１１，１６と、短波長透過フィルタ１７と、第２及び第４の光ファイバ７，１３を有する単位光部品１０を用意する。
そして、単位光部品１０のピグテイル用光ファイバの一つである第２の光ファイバ７を切断して、２０ｍｍ以下の長さとなるように短縮する。そして、第２の光ファイバ７の端面７ａと第１の光ファイバ６の端面６ａの位置を揃えて、第１のコリメートレンズ３の後端面３ｂに一括で融着接続する。
長波長透過フィルタ５や第２のコリメートレンズ４等を、第１のコリメートレンズ３の先端面３ａ側に配設する工程は、レンズ後端面３ｂに光ファイバ６，７を接続する工程の前でも後でも構わない。
このような手順によれば、第１及び第２のコリメートレンズ３，４と、長波長透過フィルタ５と、第１及び第３の光ファイバ６，８を有する単位光部品２を、単位光部品１０のピグテイル用光ファイバ７の先端に組み立てることができる。
また、第１のコリメートレンズ３に接続される２本の光ファイバ６，７を一括して接続することにより、単位光部品１０における両光ファイバ６，７の調心を融着接続のときに併せて行うことができ、工数を削減することができる。
【００３７】
次に、本発明の光部品の第５形態例について説明する。
図７は、本発明の光部品の第５形態例を示す概略構成図である。図７において、図１〜図６で用いた符号と同一の符号は、これらの図面に示す構成と同一または同様のものであることを示し、重複する説明を省略する。
図７に示す光部品１Ｅは、先端面３ａ，４ａ同士が向かい合うように配置された第１及び第２のコリメートレンズ３，４と、これら第１及び第２のコリメートレンズ３，４の先端面３ａ，４ａの間に配置された第１の長波長透過フィルタ５と、端面６ａ，７ａが第１のコリメートレンズ３の後端面３ｂに接続された第１及び第２の光ファイバ６，７と、端面８ａが第２のコリメートレンズ４の後端面４ｂに接続された第３の光ファイバ８と、先端面１１ａに第２の長波長透過フィルタ１２が配置された第３のコリメートレンズ１１と、端面１３ａ，１４ａが第３のコリメートレンズ１１の後端面１１ｂに接続された第４及び第５の光ファイバ１３，１４と、第１の光ファイバ６に接続された第６の光ファイバ１８と、第４の光ファイバ１３に接続された第７の光ファイバ１９とを具備する。
【００３８】
第３，第６，第７の光ファイバ８，１８，１９の先端部には、各光ファイバの樹脂被覆が剥離されることにより裸光ファイバ８ｂ，１８ｂ，１９ｂが露出されている。
第１，第２，第４，第５の光ファイバ６，７，１３，１４は、それぞれ短尺の裸光ファイバ６ｂ，７ｂ，１３ｂ，１４ｂである。
第１，第２，第７の光ファイバ６，７，１９が第１の光ファイバ束２０を構成している。また、第４，第５，第６の光ファイバ１３，１４，１８が第２の光ファイバ束２１を構成している。第１の光ファイバ束２０の３本の光ファイバ６，７，１９と、第２の光ファイバ束２１の３本の光ファイバ１３，１４，１８とは、接続点９において端面の位置が揃うように多芯一括接続により、融着接続されている。つまり、第１の光ファイバ６と第６の光ファイバ１８とが接続され、第２の光ファイバ７と第５の光ファイバ１４とが接続され、第４の光ファイバ１３と第７の光ファイバ１９とが接続されている。
【００３９】
さらに、本形態例の光部品１Ｅにおいて、第２及び第５の光ファイバ７，１４からなる接続用光ファイバ１５の長さＬは、２０ｍｍ以下である。
つまり、この光部品１Ｅは、共通ポートとなる第６の光ファイバ１８および反射ポートとなる第７の光ファイバ１９が、コリメートレンズに直接接続された光ファイバではなく、コリメートレンズのピグテールである光ファイバ６，１３に融着された光ファイバであること以外は、図２に示す第１形態例の光部品１Ａと同様に構成されている。
【００４０】
本形態例の光部品１Ｅは、例えば以下の製造方法により製造することができる。
図８に示すように、第１及び第２のコリメートレンズ３，４と、第１の長波長透過フィルタ５と、第１〜第３の光ファイバ６，７，８とにより構成された第１の単位光部品２を用意し、第１のコリメートレンズ３のピグテイル用光ファイバである第１及び第２の光ファイバ６，７を切断して短縮する（図８に切断箇所を二点鎖線にて示す）。第１及び第２の光ファイバ６，７は、切断後の長さが等しくなるように切断する。
また、第３のコリメートレンズ１１と、第２の長波長透過フィルタ１２と、第４及び第５の光ファイバ１３，１４とにより構成された第２の単位光部品１０を用意し、第３のコリメートレンズ１１のピグテイル用光ファイバである第４及び第５の光ファイバ１３，１４を切断して短縮する（図８に切断箇所を二点鎖線にて示す）。第４及び第５の光ファイバ１３，１４は、切断後の長さが等しくなるように切断する。この際、切断後に、前記接続用光ファイバ１５となる第２及び第５の光ファイバ７，１４の長さの合計が２０ｍｍ以下となるようにする。
【００４１】
さらに、それぞれの単位光部品２，１０について、第６，第７の光ファイバ１８，１９を縦添えし、各３本の光ファイバからなる第１および第２の光ファイバ束２０，２１を構成する。
第７の光ファイバ１９の端面１９ａの位置は、第１の光ファイバ束２０の裸光ファイバ６ｂ，７ｂ，１９ｂの端面の位置が揃うように、第１のコリメートレンズ３のピグテイル用光ファイバ６，７を切断した位置に合わせられる。また、第６の光ファイバ１８の端面１８ａの位置は、第２の光ファイバ束２１の裸光ファイバ１３ｂ，１４ｂ，１８ｂの端面の位置が揃うように、第３のコリメートレンズ１１のピグテイル用光ファイバ１３，１４を切断した位置に合わせる。
そして光ファイバ束２０，２１同士を向かい合わせて多芯接続することにより、図７に示すような光部品１Ｅを製造することができる。
光ファイバ束同士を多芯一括接続する方法としては、放電やレーザ光などの加熱手段を用いた多芯融着接続が好ましい。多芯融着接続の中でも、特に、製造工数が少ないことから、放電融着が好ましい。
【００４２】
本形態例の光部品１Ｅによれば、第１形態例の光部品１Ａと同様に、反射波長帯の光に所望のアイソレーションを確保できる上、接続用光ファイバ１５の長さが短いので小型化が可能である。
また、２個の単位光部品を２段接続するときに、ピグテイル用光ファイバの切断が極めて簡単であり、作業性に優れる。また、光ファイバ束を多芯一括接続するので、光ファイバの融着接続時に、図３に示すように、融着対象外の光ファイバ６，１３が放電やレーザ光の経路Ｈと干渉することがない。従って、ピグテイル用光ファイバの曲げによる応力や損傷を避けることができ、歩留まりを向上することができる。また、製造工数が削減できるので、製造コストの大幅な低減が図られる。
【００４３】
次に、本発明の光部品の第６形態例について説明する。
図９は、本発明の光部品の第６形態例を示す概略構成図である。図９において、図１〜図８で用いた符号と同一の符号は、これらの図面に示す構成と同一または同様のものであることを示し、重複する説明を省略する。
図９に示す光部品１Ｆは、先端面３ａ，４ａ同士が向かい合うように配置された第１及び第２のコリメートレンズ３，４と、これら第１及び第２のコリメートレンズ３，４の先端面３ａ，４ａの間に配置された第１の長波長透過フィルタ５と、端面６ａ，７ａが第１のコリメートレンズ３の後端面３ｂに接続された第１及び第２の光ファイバ６，７と、端面８ａが第２のコリメートレンズ４の後端面４ｂに接続された第３の光ファイバ８と、先端面１１ａ，１６ａ同士が向かい合うように配置された第３及び第４のコリメートレンズ１１，１６と、これら第３及び第４のコリメートレンズ１１，１６の先端面１１ａ，１６ａの間に配置された短波長透過フィルタ１７と、端面１３ａが第４のコリメートレンズ１６の後端面１６ｂに接続された第４の光ファイバ１３と、端面１４ａが第３のコリメートレンズ１１の後端面１１ｂに接続された第５の光ファイバ１４と、第１の光ファイバ６に接続された第６の光ファイバ１８とを具備する。
【００４４】
第３，第４，第６の光ファイバ８，１３，１８の先端部には、各光ファイバの樹脂被覆が剥離されることにより裸光ファイバ８ｂ，１３ｂ，１８ｂが露出されている。
第１，第２，第５の光ファイバ６，７，１４は、それぞれ短尺の裸光ファイバ６ｂ，７ｂ，１４ｂである。
第１及び第２の光ファイバ６，７が第１の光ファイバ束２０を構成している。また、第５，第６の光ファイバ１４，１８が第２の光ファイバ束２１を構成している。第１の光ファイバ束２０の２本の光ファイバ６，７と、第２の光ファイバ束２１の２本の光ファイバ１４，１８とは、接続点９において端面の位置が揃うように多芯一括接続により、融着接続されている。つまり、第１の光ファイバ６と第６の光ファイバ１８とが接続され、第２の光ファイバ７と第５の光ファイバ１４とが接続されている。
【００４５】
さらに、本形態例の光部品１Ｆにおいて、第２及び第５の光ファイバ７，１４からなる接続用光ファイバ１５の長さＬは、２０ｍｍ以下である。
つまり、この光部品１Ｆは、共通ポートとなる第６の光ファイバ１８が、コリメートレンズに直接接続された光ファイバではなく、コリメートレンズのピグテールである光ファイバ６に融着された光ファイバであること以外は、図４に示す第２形態例の光部品１Ｂと同様に構成されている。
本形態例の光部品１Ｆは、前記第５形態例の光部品１Ｅと同様の手法により、単位光部品２，１０のピグテール用光ファイバ６，７，１４を切断して短縮し、各２本の光ファイバからなる第１および第２の光ファイバ束２０，２１を構成し、光ファイバ束２０，２１同士を向かい合わせて多芯接続することにより、製造することができる。
【００４６】
本形態例の光部品１Ｆによれば、第２形態例の光部品１Ｂと同様に、反射波長帯の光に所望のアイソレーションを確保できる上、接続用光ファイバ１５の長さが短いので小型化が可能である。
また、２個の単位光部品を２段接続するときに、ピグテイル用光ファイバの切断が極めて簡単であり、作業性に優れる。また、光ファイバ束を多芯一括接続するので、光ファイバの融着接続時に、図３に示すように、融着対象外の光ファイバ６，１３が放電やレーザ光の経路Ｈと干渉することがない。従って、ピグテイル用光ファイバの曲げによる応力や損傷を避けることができ、歩留まりを向上することができる。また、製造工数が削減できるので、製造コストの大幅な低減が図られる。
【００４７】
次に、本発明の光部品について、以下の通り耐ハイパワー試験を行い、その結果を示す。試験方法は、１１個の光部品を用意し、それぞれの光部品に対して、まず０．５Ｗ×１ｈ、次いで１Ｗ×１ｈ、次いで２Ｗ×１ｈ、次いで０．５Ｗ×１００ｈのハイパワー光を順次加え、Ｃポート−Ｒポート間の挿入損失変動およびＣポート−Ｔポート間の挿入損失変動を測定するものである。
図１０に、Ｃポート−Ｒポート間の挿入損失変動量の測定結果を示す。また、図１１に、Ｃポート−Ｔポート間の挿入損失変動の測定結果を示す。挿入損失変動は、試験前（ハイパワー光を加える前）の挿入損失を基準とした挿入損失の変動（差）として求められるものであり、試験前の挿入損失変動を０とおく。
【００４８】
図１０，図１１に示すグラフにより、一連のハイパワーの入射によって光部品の挿入損失変動はほとんどなく、本発明の光部品がハイパワー光に対して優れた耐性を有することが分かった。従って、本発明の光部品は、従来の光合分波器と比較して、非常に良好な耐パワー特性を有し、小型化が可能であり、しかも製造工程が簡便で安価に製造できることが可能なものであるということができる。
【産業上の利用可能性】
【００４９】
本発明は、例えば１芯３波多重伝送などのＷＤＭ技術に用いられる光合分波器に利用することができる。コリメートレンズに組み合わされる誘電体多層膜フィルタなどの光機能素子はフィルタ素子に限定されるものではなく、光機能素子の種類に応じて種々の光部品への応用が期待できる。
【図面の簡単な説明】
【００５０】
【図１】単位光部品の一例を示す概略構成図である。
【図２】本発明の光部品の第１形態例を示す概略構成図である。
【図３】第１形態例の光部品の製造方法を説明する概略図である。
【図４】本発明の光部品の第２形態例を示す概略構成図である。
【図５】本発明の光部品の第３形態例を示す概略構成図である。
【図６】本発明の光部品の第４形態例を示す概略構成図である。
【図７】本発明の光部品の第５形態例を示す概略構成図である。
【図８】第５形態例の光部品の製造方法を説明する概略図である。
【図９】本発明の光部品の第６形態例を示す概略構成図である。
【図１０】Ｃポート−Ｒポート間の挿入損失変動の測定結果の一例を示す。
【図１１】Ｃポート−Ｔポート間の挿入損失変動の測定結果の一例を示す。
【図１２】従来の光部品の一例を示す概略構成図である。
【符号の説明】
【００５１】
Ｌ…接続用光ファイバの長さ、１Ａ，１Ｂ，１Ｃ，１Ｄ，１Ｅ，１Ｆ…光部品、２，１０…単位光部品、３，１１…コリメートレンズ、３ｂ，１１ｂ…コリメートレンズの一つの端面（後端面）、６，７，１３，１４…ピグテイル用光ファイバ、９…接続部、１５…接続用光ファイバ、１８，１９…他の光ファイバ、２０，２１…光ファイバ束。
【図１】
2006003786.tif 000003
【図２】
2006003786.tif 000004
【図３】
2006003786.tif 000005
【図４】
2006003786.tif 000006
【図５】
2006003786.tif 000007
【図６】
2006003786.tif 000008
【図７】
2006003786.tif 000009
【図８】
2006003786.tif 000010
【図９】
2006003786.tif 000011
【図１０】
2006003786.tif 000012
【図１１】
2006003786.tif 000013
【図１２】
2006003786.tif 000014